(57)【要約】【課題】簡単に設置でき、小規模な植物の栽培にも適する育苗用カバーを提供する。【解決手段】設置時に開口縁部２の外側に突出する突出部３を設けており、この突出部３と開口縁部２に土を被せて固定できるようにしている。また、外周縁部に突出部３を複数設けた扇形のプラスチックシート１の両端の直線部分４，５を接合してなるものとし、平坦になるように折り曲げたときに、少なくとも１組の前側の扇形部分の突出部３と後側の扇形部分の突出部３が重なるようにしたものとすることができる。【選択図】図１
0003153756.tif 000002
【実用新案登録請求の範囲】
【請求項１】
透明なプラスチックシート（１）からなる下方に開口したキャップ状の育苗用カバーであって、設置時に開口縁部（２）の外側に突出する突出部（３）を設けており、この突出部（３）と開口縁部（２）に土を被せて固定できるようにしていることを特徴とする育苗用カバー。
【請求項２】
外周縁部に突出部（３）を複数設けた扇形のプラスチックシート（１）の両端の直線部分（４）（５）を接合してなるものとし、平坦になるように折り曲げたときに、少なくとも１組の前側の扇形部分の突出部（３）と後側の扇形部分の突出部（３）が重なるようにしている請求項１記載の育苗用カバー。
【請求項３】
上端部に凹部（９）を設けた２本のアーチ状の支柱（８）を、一方の支柱（８）の凹部（９）に他方の支柱（８）が嵌るように交差させ、その外側から被せるようにした請求項１又は２記載の育苗用カバー。
【考案の詳細な説明】
【技術分野】
【０００１】
この考案は、野菜や花等各種の植物の保護育成のために使用する育苗用カバーに関するものである。
【背景技術】
【０００２】
従来、野菜等の苗を霜や強風から保護し育成するために、非特許文献に記載のような透明なシートが用いられている。このシートは、畑において、苗を覆うようにして設置することにより、苗を霜や強風から保護することができるようになっている。
【０００３】
しかし、このシートは、農家等ある程度の規模で農業をしている者には設置が容易でも、趣味で園芸等を行う者には取り扱いが難しく、うまく設置できないために風で吹き飛ばされる危険があり、また、１つの苗ごとに設置する等の小規模の実施には適当ではなかった。
【先行技術文献】
【非特許文献】
【０００４】
【非特許文献１】渡辺泰株式会社、"ぽかぽかシート"、［平成２１年６月１２日検索］、インターネット＜ＵＲＬ：http://www.w-tai.co.jp/goods/raise/raise_001.html＞
【考案の概要】
【考案が解決しようとする課題】
【０００５】
そこで、この考案は、簡単に設置でき、小規模な植物の栽培にも適する育苗用カバーを提供することを課題とする。
【課題を解決するための手段】
【０００６】
この考案の育苗用カバーは、透明なプラスチックシート１からなる下方に開口したキャップ状の育苗用カバーであって、設置時に開口縁部２の外側に突出する突出部３を設けており、この突出部３と開口縁部２に土を被せて固定できるようにしている。
【０００７】
この考案の育苗用カバーは、外周縁部に突出部３を複数設けた扇形のプラスチックシート１の両端の直線部分４，５を接合してなるものとし、平坦になるように折り曲げたときに、少なくとも１組の前側の扇形部分の突出部３と後側の扇形部分の突出部３が重なるようにしたものとすることができる。
【０００８】
そして、上端部に凹部９を設けた２本のアーチ状の支柱８を、一方の支柱８の凹部９に他方の支柱８が嵌るように交差させ、その外側から被せるようにしたものとすることができる。
【考案の効果】
【０００９】
この考案の育苗用カバーは、上述のような構成を有しており、設置時に開口縁部２だけでなくその外側に突出する突出部３に土を被せられるため、安定した固定状態を得ることができるようになっている。
【００１０】
また、この考案の育苗用カバーは、外周縁部に突出部３を複数設けた扇形のプラスチックシート１の両端の直線部分４，５を接合してなるものとし、平坦になるように折り曲げたときに、少なくとも１組の前側の扇形部分の突出部３と後側の扇形部分の突出部３が重なるようにしたものとすることにより、折り曲げて平坦にして輸送、保管できるとともに、表側と後側の扇形部分の重なった突出部３を指でずらすことにより、容易に重なったプラスチックシート１を分離させ、キャップ状にすることができる。
【００１１】
そして、この考案の育苗用カバーは、上端部に凹部９を設けた２本のアーチ状の支柱８を、一方の支柱８の凹部９に他方の支柱８が嵌るように交差させ、その外側から被せるようにしたものとすれば、しっかりとキャップ状の形状を維持することができる。
【図面の簡単な説明】
【００１２】
【図１】この考案の実施形態の育苗用カバーを構成するプラスチックシートの展開状態の説明図である。
【図２】この考案の実施形態の育苗用カバーの折り畳み状態の説明図である。
【図３】この考案の実施形態の育苗用カバーの使用状態の説明図である。
【図４】この考案の実施形態の育苗用カバーの支柱の説明図である。
【考案を実施するための形態】
【００１３】
以下、この考案の好適な実施形態を、図面を参照して説明する。
【００１４】
この育苗用カバーは、透明なプラスチックシート１からなる下方に開口したキャップ状の育苗用カバーであって、設置時に開口縁部２の外側に突出する突出部３を設けており、この突出部３と開口縁部２に土を被せて固定できるようにしたものである。
【００１５】
この植物カバーは、図１に示したような扇形のプラスチックシート１の両端の直線部分４，５を接合することにより、下方に開口した略円錐形のキャップ状になるようにしたものとしている。
【００１６】
プラスチックシート１は、厚さ０．０２ｍｍ程度のポリエチレンやビニール等からなる軟質で折り畳み可能なものとしている。プラスチックシート１は、植物の成長に必要な光が入る程度の透明性があれば、着色や模様が施されたものであってもよい。
【００１７】
なお、プラスチックシート１を生分解性プラスチックからなるものとすれば、使用されずに放置されたままになったとしても分解され、焼却処分する必要がないため、焼却に要するエネルギーや、二酸化炭素、有害物質の発生を抑制できるので、環境への負担を軽減することができる。
【００１８】
プラスチックシート１の半径（扇形の直線部分４，５の長さ）は６０ｃｍ程度で、中心角（頂角）は１２０度程度としている。プラスチックシート１は、外周縁部（完成時に開口縁部２となる）に半径方向に突出する突出部３を５つ設けている。
【００１９】
プラスチックシート１の外周の両端（直線部分４，５に接する箇所）を除く突出部３は、長さ（突出方向）が５ｃｍ、幅（周方向）が１０〜１５ｃｍ程度であり、両端の突出部３は、前記両端を除く突出部３と長さが同じで、幅が半分程度となっている。この両端の突出部３は、設置時において、一方の突出部３が他方の端の突出部３と合わせて１つ分の大きさの突出部が構成されるようになっている。
【００２０】
各突出部３は、設置時において開口縁部２に沿って等間隔に位置するようになっている。この実施形態では、開口縁部２に沿って突出部３が４つ等間隔に位置するようになっているが、突出部３の数は適宜変更することができる。
【００２１】
開口縁部２における前記両端を除く突出部３を設けた箇所には、突出部３の両側縁の延長上に切り込み（図中波線）が形成されている。また、開口縁部２における両端に位置する突出部３を設けた箇所には、突出部３の内側縁の延長上に切り込みが形成されている。各切り込みの長さは５ｃｍ程度としている。
【００２２】
設置時において上端部となる箇所には、通気孔を開けるための切り取り線６を設けている。この実施形態の切り取り線６は、プラスチックシート１の中心角付近に両側の直線部分４，５間にわたる円弧状に形成されており、設置時にこの切り取り線６に沿って上端部を切り取ることにより、直径数ｃｍ程度の略円形の通気孔が開くようにしている。切り取り線６は、プラスチックシート１上に印刷された線とし、これに沿ってハサミで切り取られるようにすればよいが、ミシン目とし、ハサミを用いずに手で引きちぎられるようにすることもできる。
【００２３】
プラスチックシート１の両端の直線部分４，５どうしの接合部分は、熱溶着されたものとしており、その幅は１．５ｃｍ程度としている。この植物カバーは、適宜形式で折り畳んで平坦な状態にし、包装して販売したり、輸送、保管したりすることができる。例えば、図２に示したように、図１に示した扇形の中心角が略半分の扇型になるように２箇所で半径方向に沿って折り、前側の扇形部分（図２にあらわれている部分）と後側の扇形部分（図２にあらわれていない部分）の対向する突出部３どうしが重なるようにすれば、展開してキャップ状にする際に、前記重なった突出部３を両側から指で押さえつつ、ずらすことにより、重なったプラスチックシート１を容易に分離させることができる。
【００２４】
なお、プラスチックシート１の前記２箇所の半径方向に折る箇所のうち、一方は前記直線部分４，５どうしの接合部分とし、他方には、折り曲げるべき箇所を分かりやすくするための目印となる線７を付すとよい。
【００２５】
この育苗用カバーを設置するには、図３に示したように植物の上から被せるが、キャップ状の形状を維持するために、２本の支柱８を使用する。支柱８は湾曲したアーチ状のものであり、これらを上端部で交差させて使用する。なお、図３においては、２本の支柱８のうち１本のみを図示し、もう１本の支柱８は図示を省略している。
【００２６】
各支柱８は、アルミニウム等の金属製の折り曲げ可能な線状の芯材の周囲を、軟質な合成樹脂でコーティングしたものとすることができる。また、図４に示したように、各支柱８には、アーチ状の中央の上端側に位置する凹部９が設けられており、一方の支柱８の凹部９に他方の支柱８の中央の下端側が入って嵌るようにすることにより、２つの支柱８が十字状に組み合わさった状態で安定するようになっている。
【００２７】
凹部９は、幅が支柱８の直径よりやや大きく深さは支柱８の半径よりやや小さい程度でよい。凹部９は、各支柱８の中央の下端側に位置するものとしてもよい。各支柱８の一端は、他の部分よりも径の大きくなったアンカー部とし、しっかりと土中に固定されるようにしてもよい。
【００２８】
育苗用カバーの下端部の開口縁部２と突出部３には、強風が吹いても吹き飛ばされないように土を被せる。開口縁部２は縁から５ｃｍ程度内側まで、突出部３は全体が土で覆われるようにするとよい。なお、図１、図２において、土で覆われる領域を多数の黒丸を付して示している。突出部３を設けた部分は、その両側縁の延長上の開口縁部２における切り込みにより、設置面に対する接触面積を大きく取ることができ、その上を覆う土により、しっかりと固定されるようになっている。
【００２９】
この植物カバーは、このようにきわめて容易に設置することが可能で、特に趣味での園芸等、小規模での使用には適するものとなっている。特に３月〜５月ごろの霜や強風対策に効果を発揮し、また、気温が高くなる時期においても、通気孔により内部の温度が高温になるのを防止して、植物を保護することができる。
【００３０】
なお、この考案は、上述の実施形態の構成に限定されるものではなく、素材、形状等を適宜変更して実施することができる。
【符号の説明】
【００３１】
１  プラスチックシート
２  開口縁部
３  突出部
４，５  直線部分
８  支柱
９  凹部
【図１】
0003153756.tif 000003
【図２】
0003153756.tif 000004
【図３】
0003153756.tif 000005
【図４】
0003153756.tif 000006